(57)【要約】【課題】安価に製造できるとともに、使用時に足裏の痛みを防止でき、ツボ毎に弾性を適宜に選択することも可能な足裏の按摩板の提供。【解決手段】足裏の按摩板１は、足踏板２に、多数の加圧体３を、足裏のツボに対応した所定のパターンで植設している。加圧体３は、半球状の頭部３１と径大の足部３２とを有する。足踏板２は、縦穴２１が形成された本体２２と、底板２３とからなる。縦穴２１は、上端に段２４を介して径小部２５が設けられ、加圧体３は縦穴２１に挿入され、足部３２が段２４に係合して上方への飛び出しが阻止され、足部３２と底板２３との間に介装されたコイルバネ４１で上方に付勢されている。【選択図】        図２
2004154395.tif 000002
【特許請求の範囲】
【請求項１】
足踏板に、足裏のツボを加圧する多数の加圧体を、所定のパターンで植設した足裏の按摩板において、
前記加圧体は、前記足踏板の所定位置に開けた多数の縦穴に１つづつ上下動可能に嵌め込まれており、前記縦穴内に設置した付勢手段で上方に付勢されていることを特徴とする足裏の按摩板。
【請求項２】
請求項１に記載の足裏の按摩板において、前記加圧体は半球状の頭部と径大の足部とを有する柱体であり、前記縦穴は上端に径小部を有する段付き穴であることを特徴とする足裏の按摩板。
【請求項３】
請求項２に記載の足裏の按摩板において、前記付勢手段は、前記足部と前記縦穴の底との間に介装されたコイルバネであることを特徴とする足裏の按摩板。
【請求項４】
請求項３に記載の足裏の按摩板において、前記コイルバネは、バネ定数のことなる２種以上が使用されていることを特徴とする足裏の按摩板。
【請求項５】
請求項３または４に記載の足裏の按摩板において、前記足踏板は、前記縦穴が形成された本体と、該本体の下面に締結された底板とからなることを特徴とする足裏の按摩板。
【請求項６】
足踏板に、足裏のツボを加圧する頭部を備えた多数の加圧体を、所定のパターンで植設した足裏の按摩板において、
前記足踏板は剛体製であり、前記加圧体はゴム製であることを特徴とする足裏の按摩板。
【請求項７】
請求項６に記載の足裏の按摩板において、前記足踏板に差込穴が形成され、前記加圧体の下端には径小の差込部が形成されていることを特徴とする足裏の按摩板。
【請求項８】
請求項６または７に記載の足裏の按摩板において、前記加圧体のゴムは硬度の異なる２種以上が使用されていることを特徴とする足裏の按摩板。
【発明の詳細な説明】
【０００１】
【発明の属する技術分野】
この発明は、使用時の足裏の痛さを軽減するとともに、按摩効果を増大できる足裏の按摩板に関する。
【０００２】
【従来の技術】
足裏のツボを按摩するため、半球状の頭部を有する多数の加圧体を足踏板に植設した足裏の按摩板が使用されている。従来の按摩板は、加圧体と足踏板とがともに木、樹脂、セラミックなどの剛体で形成されていたため、敏感な使用者には足裏に痛みが感じられる問題がある。このため、加圧体の伸縮量を任意に調節できるようにした足裏按摩装置（たとえば、特許文献１参照）や、加圧体を含むゴム板を足踏板に取り替え自在に設置した考案（たとえば、特許文献２参照）が提案されている。
【０００３】
【特許文献１】
実用新案登録第３０２５１６４号公報
【特許文献２】
特開平１１−３１９０２３号公報
【０００４】
【発明が解決しようとする課題】
従来の足裏按摩装置は構造が複雑で高価であり、ゴム板を足踏板に貼着した足裏の按摩板では足裏のツボによってゴムの固さを変えることができないなど按摩効果が十分でない問題がある。
この発明の目的は、安価に製造できるとともに、使用時に足裏の痛みを防止でき、ツボ毎に弾性を適宜に選択することも可能な足裏の按摩板の提供にある。
【０００５】
【課題を解決するための手段】
請求項１に記載の発明は、足踏板に、足裏のツボを加圧する多数の加圧体を、所定のパターンで植設した足裏の按摩板において、加圧体は、足踏板の所定位置に開けた多数の縦穴に１つづつ上下動可能に嵌め込まれており、縦穴内に設置した付勢手段で上方に付勢されていることを特徴とする。
【０００６】
この発明では、加圧体が剛体製の足踏板に弾性支持されているので、足の裏にかかる加圧力が分散して調節され、一部に集中することがない。このため、体重が加わっても痛みが生じない。付勢手段はバネ、ゴムなどの弾性体が使用できる。また、構造が簡単であり、安価に製造できる。
【０００７】
請求項２に記載の発明は、加圧体は半球状の頭部と径大の足部とを有する柱体であり、縦穴は上端に径小部を有する段付き穴であることを特徴とする。この構成では、安価に、加圧体を縦穴内に上下動可能に収容できるとともに、脱落を防止できる。
【０００８】
請求項３に記載の発明では、付勢手段は、足部と縦穴の底との間に介装されたコイルバネであることを特徴とする。この構成では、加圧体のストロークが大きくでき、使い心地に優れる。
【０００９】
請求項４に記載の発明では、コイルバネは、バネ定数のことなる２種以上が使用されていることを特徴とする。これにより、足裏のツボ、個人差により加圧力を適正に設定でき、按摩効果が大きい。
【００１０】
請求項５に記載の発明では、足踏板は、縦穴が形成された本体と、該本体の下面に締結された底板とからなることを特徴とする。この構成により、本体を裏返して配置し、該本体に多数の加圧体およびコイルバネを装填し、底板を締結して組み立てる作業が間単にでき、組み付け性が高い。
【００１１】
請求項６に記載の発明では、足踏板に、足裏のツボを加圧する頭部を備えた多数の加圧体を、所定のパターンで植設した足裏の按摩板において、足踏板は剛体製であり、加圧体はゴム製であることを特徴とする。この構成により、極めて簡単な構造で、足裏にかかる加圧力が分散して調節され、一部に集中することを防止できる。このため、体重が加わっても足裏に感じる痛みが低減できるとともに、製造が容易で安価に生産できる。
【００１２】
請求項７に記載の発明では、足踏板に差込穴が形成され、加圧体の下端には径小の差込部が形成されていることを特徴とする。この構成により、加圧体の取り付け強度が向上し、耐久性が増大する。
【００１３】
請求項８に記載の発明では、加圧体のゴムは硬度の異なる２種以上が使用されていることを特徴とする。これにより、足裏のツボ、個人差により加圧力を適正に設定でき、按摩効果が大きい。
【００１４】
【発明の実施の形態】
第１発明の実施の形態を図１〜図３とともに説明する。足裏の按摩板１は、足踏板２に、多数の加圧体３を、足裏のツボに対応した所定のパターンで植設した構成を有する。加圧体３は木、樹脂、セラミック、金属などの剛体で形成された円柱体であり、半球状の頭部３１を有するとともに下端に径大の足部３２が設けられている。また、加圧体３は、足裏のツボに対応する位置に設置され、上下に変位可能であるとともに、足裏のツボに対応して長さが適宜に設定される。各加圧体３には、上方への付勢手段４が設けられている。
【００１５】
足踏板２は、図２に示す如く、加圧体３を収容する貫通した縦穴２１が所定のパターンで形成された本体２２と、底板２３とからなる。底板２３は、本体２２の下面にビスで締結されている。縦穴２１は、上端に段２４を介して径小部２５が設けられている。加圧体３は縦穴２１に挿入され、足部３２が段２４に係合して上方への飛び出しが阻止されている。上方への付勢手段４は、この実施例では、足部３２と底板２３との間に介装されたコイルバネ４１である。
【００１６】
按摩板１の組み付けは、図３に示す如く、本体２２を裏返しておき、各縦穴２１のそれぞれに加圧体３を頭部３１を下にして挿入し、つづいてコイルバネ４１を挿入する。つぎに、底板２３をかぶせて本体２２の下面にビス３３で締結する。これにより、多数のコイルバネ４１を同時に圧縮して組み付けることが容易にできる。これにより、図２に示す如く、各加圧体３が頭部３１を突き出した状態で各縦穴２１に収容され、コイルバネ４１で上方に付勢された按摩板１が製造される。
【００１７】
この按摩板１では、足を載せたときにコイルバネ４１が圧縮して足裏を加圧して按摩する。このため、使用者が足裏に感じる痛みが少ない。また、バネ定数の異なる２種以上のコイルバネ４１を使用して、足裏のツボに応じて加圧力を変えることが容易であり、使用者の好みに応じて加圧力を増減できる。このバネ定数の異なるバネは、使用者が自分で変えることができ、不特定多数の使用者が最適な按摩効果を得られる。
【００１８】
図４、図５は第２発明を示す。この発明の足裏の按摩板５は、木、樹脂、陶器、金属などの剛体の足踏板６に、ゴム製加圧体７を直接に植設している。足踏板６の表面には、所定の位置に差込穴６１が形成されており、ゴム製加圧体７の下端面には、差込穴６１に嵌合する差込部７１が設けられている。この発明の如く、差込穴６１に差込部７１を嵌め込み、接着材で接着する構造を採用することにより、固着強度を増大できる利点がある。
【００１９】
この構成では、図５に示す如く、使用者が按摩板５に足裏を載せると、ゴム製加圧体７自体が弾性変形して足裏のツボを加圧する。この弾性により使用者の足裏に加わる加圧力が調節され、痛みが低減できる。この発明では、足裏のツボの特性に応じて、２種以上の硬度のゴム製加圧体７を使用し、それぞれ高さ又は固さを最適に設定することにより、按摩効果の高い按摩板５が得られる。
【００２０】
〔変形例〕
１）付勢手段４は、コイルバネ４１以外のバネ、またはゴムなどの弾性体を使用してもよい。
２）コイルバネ４１の装着は、空洞にした加圧体３の内部であってもよい。
３）加圧体３をゴム製として、付勢手段４の弾性と加圧体３の弾性との両方を利用してもよい。
【図面の簡単な説明】
【図１】第１発明の按摩板の斜視図である。
【図２】第１発明の按摩板の断面図である。
【図３】第１発明の按摩板の組付図である。
【図４】第２発明の按摩板の斜視図である。
【図５】第２発明の按摩板の断面図である。
【符号の説明】
１    按摩板
２    足踏板
２１  縦穴
２２  本体
２３  底板
２５  径小部
３    加圧体
３１  頭部
３２  足部
４    付勢手段
４１  コイルバネ
５    按摩板
６    足踏板
６１  差込穴
７    ゴム製加圧体
７１  差込部
【図１】
2004154395.tif 000003
【図２】
2004154395.tif 000004
【図３】
2004154395.tif 000005
【図４】
2004154395.tif 000006
【図５】
2004154395.tif 000007